(57)【要約】【課題】  予め認証情報が記憶された通信装置（ルーター）において，使い勝手のよい通信装置の提供。【解決手段】  ネットワーク通信機能を有する通信端末をネットワークに接続する機能を有する回線接続装置と通信を行う機能を有する通信装置であって，回線接続装置と接続するための認証情報及び自装置の設定情報を記憶する記憶手段と，自装置の設定情報の初期化を受け付ける第１の受付手段と，認証情報及び自装置の設定情報の初期化を受け付ける第２の受付手段と，第１の受付手段が自装置の設定情報の初期化を受け付けた場合，自装置の設定情報を初期化し，第２の受付手段が認証情報及び自装置の設定情報の初期化を受け付けた場合，認証情報及び自装置の設定情報を初期化する制御手段と，を備える【選択図】  図１
2013131787.tif 000002
【特許請求の範囲】
【請求項１】
ネットワーク通信機能を有する通信端末をネットワークに接続する機能を有する回線接続装置と通信を行う機能を有する通信装置であって，
回線接続装置と接続するための認証情報及び自装置の設定情報を記憶する記憶手段と，
自装置の設定情報の初期化を受け付ける第１の受付手段と，
認証情報及び自装置の設定情報の初期化を受け付ける第２の受付手段と，
第１の受付手段が自装置の設定情報の初期化を受け付けた場合，自装置の設定情報を初期化し，第２の受付手段が認証情報及び自装置の設定情報の初期化を受け付けた場合，認証情報及び自装置の設定情報を初期化する制御手段と，
を備えることを特徴とする通信装置。
【発明の詳細な説明】
【技術分野】
【０００１】
本発明は，ネットワーク通信機能を有する通信端末をネットワークに接続する回線接続装置（サーバー）と通信を行う機能を有する通信装置（ルーター）に関する。
【背景技術】
【０００２】
ユーザーは，ネットワークにアクセスするために，予めＩＳＰ（Internet service provider）と契約した後，ルーター等に各種の設定を行う必要がある。具体的には，パーソナルコンピューターによりルーターに記憶されているウェブページにおいて，契約後にＩＳＰから郵送等により送付されてきた認証情報であるユーザーＩＤ及びパスワードを入力する。入力されたユーザーＩＤ及びパスワードがサーバーに送信され，送信されたユーザーＩＤ及びパスワードがサーバーに記憶されている情報と一致した場合に，ルーターからの通信が許可される。
【０００３】
しかしながら，上記のように，ウェブページを介して認証情報を設定するためには，パーソナルコンピューターが必要となるが，現在，ネットワーク通信機能を有するＴＶ等しか所有していないユーザーの存在も考えられるが，このようなユーザーは自らルーターに認証情報を設定することができない。そこで，パーソナルコンピューターを有していないユーザーのため，予め工場出荷時にルーターに認証情報を記憶してユーザーへ送付することが考えられる。
【０００４】
ここで，従来のルーターは，リセットボタンを備えており，ルーター内に不具合が生じた場合等に，リセットボタンがユーザーにより押下されると，ルーター内の情報が全て初期化されるようになっている。
【先行技術文献】
【特許文献】
【０００５】
【特許文献１】特開２００５−１３０３３４号公報
【発明の概要】
【発明が解決しようとする課題】
【０００６】
上記のように，リセットボタンがユーザーにより押下された場合に，ルーター内の情報が全て初期化されると，予め工場出荷時に認証情報が記憶されたルーターの場合，その後にネットワークを使用することができないという不都合が生じる。
【０００７】
そこで本発明は，上記課題に鑑み，予め認証情報が記憶された通信装置（ルーター）において，使い勝手のよい通信装置の提供を目的とする。
【課題を解決するための手段】
【０００８】
本発明の通信装置は，ネットワーク通信機能を有する通信端末をネットワークに接続する機能を有する回線接続装置と通信を行う機能を有する通信装置であって，回線接続装置と接続するための認証情報及び自装置の設定情報を記憶する記憶手段と，自装置の設定情報の初期化を受け付ける第１の受付手段と，認証情報及び自装置の設定情報の初期化を受け付ける第２の受付手段と，第１の受付手段が自装置の設定情報の初期化を受け付けた場合，自装置の設定情報を初期化し，第２の受付手段が認証情報及び自装置の設定情報の初期化を受け付けた場合，認証情報及び自装置の設定情報を初期化する制御手段と，を備えることを特徴とする。
【０００９】
上記構成の通信装置によれば，自装置の設定情報を初期化が受け付けられた場合，自装置の設定情報が初期化されるから，自装置の設定情報のみが初期化され，認証情報が初期化されないから，不具合等が生じた場合にユーザーが初期化を行ったとしても，その後もネットワークサービスを使用することができる。
【発明の効果】
【００１０】
本発明の通信装置によれば，自装置の設定情報を初期化が受け付けられた場合，自装置の設定情報が初期化されるから，自装置の設定情報のみが初期化され，認証情報が初期化されないから，不具合等が生じた場合にユーザーが初期化を行ったとしても，その後もネットワークサービスを使用することができる。
【図面の簡単な説明】
【００１１】
【図１】本発明の実施形態に係るルーター（通信装置）の一例を示すブロック図
【図２】同ルーターの初期化処理動作を示すフローチャート
【図３】同ルーターの初期化処理動作を示すフローチャート
【発明を実施するための形態】
【００１２】
以下，本発明の実施形態に係るルーター（通信装置）を，図面に基づいて説明する。図１は本発明の実施形態に係るルーターの一例を示すブロック図，図２は同ルーターの初期化処理動作を示すフローチャート，図３は同ルーターの初期化処理動作を示すフローチャートである。
【００１３】
ルーター１０は，ユーザーが使用するネットワーク通信機能を有するＴＶ（通信端末）３０をネットワークＮＷに接続するサーバー（回線接続装置）２０と通信を行う機能を有する。ルーター１０とＴＶ３０は，ＬＡＮケーブルなどのケーブルにより接続されており，ルーター１０とサーバー２０とは，例えば，光通信回線で接続されている。その他，一般公衆回線，ケーブルテレビのケーブル，ＡＤＳＬ（Asymmetric Digital Subscriber Line）のメタル回線等で接続することも可能である。サーバー２０は，ネットワークＮＷと専用回線により接続されている。なお，通信端末は，ＴＶ３０に限られず，ネットワーク接続機能を有するパーソナルコンピューター，ゲーム機等でもよい。
【００１４】
ルーター１０の概略構成について説明する。ルーター１０は，図１に示すように，ＣＰＵ１１，ＥＥＰＲＯＭ１２，ＲＡＭ１３，第１ＮＷ  Ｉ／Ｆ１４，第２ＮＷ  Ｉ／Ｆ１５，操作部１６を備えたものである。ＣＰＵ１１は，ＥＥＰＲＯＭ１２に格納された制御プログラムに従って，ルーター１０を構成する各部を制御するものである。ＥＥＰＲＯＭ１２は，制御プログラムの他，ＩＳＰから提供されるサーバー２０に接続するための認証情報であるユーザーＩＤおよびパスワード，サーバー２０と通信するための通信情報等の自装置１０の設定情報を記憶している。このＥＥＰＲＯＭ１２が認証情報及び設定情報を記憶する記憶手段として機能する。認証情報は，ＩＳＰから製造業者等に提供され，工場出荷時に記憶される。なお，ここでは，認証情報として，ユーザーＩＤとパスワードを例示しているが，いずれか一方の情報であってもよいし，また，その他の情報を認証情報として用いることも可能である。また，ここでは，１のＩＳＰの認証情報を記憶しているが，複数のＩＳＰの認証情報および設定情報を記憶しておき，必要に応じて，ユーザーが所望のＩＳＰの認証情報および設定情報を選択できるようにすることも可能である。
【００１５】
ＲＡＭ１３は，ＣＰＵ１１の主メモリ，ワークエリア等として機能するものである。第１ＮＷ  Ｉ／Ｆ１４は，ＬＡＮケーブルを介してＴＶ３０との間でデータの送受信を行うものである。第２ＮＷ  Ｉ／Ｆ１５は，光通信回線を介してサーバー２０との間でデータの送受信等を行うものである。
【００１６】
操作部１６は，自装置１０の設定情報の初期化を受け付けるための第１リセットボタン１６１，認証情報及び自装置１０の設定情報の初期化を受け付けるための第２リセットボタン１６２を備える。ユーザーにより第１リセットボタン１６１が押下されると，自装置１０の設定情報の初期化が受け付けられ，自装置１０の設定情報の初期化が実行されるようになっている。また，ユーザーにより第２リセットボタン１６２が押下されると，認証情報及び自装置１０の設定情報の初期化が実行されるようになっている。
【００１７】
上記構成を備えたルーター１０の初期化処理動作について図２及び図３に基づいて説明する。
【００１８】
ルーター１０は，第１リセットボタン１６１が押下されたか否かを繰り返し判断する（Ｓ１１）。第１リセットボタン１６１が押下されたと判断した場合（Ｓ１１：Ｙｅｓ），自装置１０の設定情報の初期化を受け付ける（Ｓ１２，第１の受付手段に相当）。次に，自装置１０の設定情報を初期化する（Ｓ１３，制御手段に相当）。
【００１９】
また，ルーター１０は，上記の処理と並行して，第２リセットボタン１６２が押下されたか否かを繰り返し判断する（Ｓ２１）。第２リセットボタン１６２が押下されたと判断した場合（Ｓ２１：Ｙｅｓ），認証情報及び自装置１０の設定情報の初期化を受け付ける（Ｓ２２，第２の受付手段に相当）。次に，認証情報及び自装置１０の設定情報を初期化する（Ｓ２３，制御手段に相当）。
【００２０】
上記のように，自装置１０の設定情報を初期化が受け付けられた場合，自装置１０の設定情報が初期化されるから，自装置１０の設定情報のみが初期化され，認証情報が初期化されないから，不具合等が生じた場合にユーザーが初期化を行ったとしても，その後もネットワークサービスを使用することができる。
【００２１】
なお，本実施形態のルーター１０は，従来のルーター１０と同様，ユーザーが各種の設定を行うためのウェブページを備えており，認証情報が初期化された場合でも，パーソナルコンピューターを介してウェブページにアクセスし，ユーザーＩＤ及びパスワードを入力して，新たに認証情報を設定することが可能である。
【符号の説明】
【００２２】
１０…ルーター，１１…ＣＰＵ，１２…ＥＥＰＲＯＭ，１３…ＲＡＭ，１６…操作部，１６１…第１リセットボタン，１６２…第２リセットボタン，２０…サーバー，３０…ＴＶ
【図１】
2013131787.tif 000003
【図２】
2013131787.tif 000004
【図３】
2013131787.tif 000005